Podtech/llm-jp-corpus-v4-ja_patent huggingface dataset:
(57)【要約】      （修正有）【課題】コンピュータ画像をスクリーンに投影してプレゼンテーションを実施する際に、演者は自らの操作するコンピュータから離れることができない。【解決手段】ソフトウェアを操作するためのキー入力装置と、これによる入力データを無線で情報受信先としてのコンピュータ等の情報処理装置に送信する信号発信部をポインター１０に具備させて、演者がコンピュータを遠隔操作できるようにしている。また、パソコン本体上部に受信部を具備するか、パソコン本体に接続される棒状の筐体の先端部に受信部を具備することにより、受信感度を高めている。これにより、より遠隔地からの操作が可能となる。さらに、ポインター１０のレーザー発行１２の方向およびそれに接する４面に信号発信部１３を具備することにより、演者はより自然な動きの中で、無線によるコンピュータ操作を実現することが可能となる。【選択図】図１
2004192597.tif 000002
【特許請求の範囲】
【請求項１】
キー入力装置およびその入力データを無線で情報受信先としてのコンピュータ等の情報処理装置に送信する信号発信部を具備することを特徴とするポインター。
【請求項２】
レーザー発光方向の面およびそれに接する４面に信号発信部を具備することを特徴とする請求項１記載のポインター。
【請求項３】
パソコン本体上部に受信部を具備すること、もしくは、パソコン本体に接続される棒状の筐体の先端部に受信部を具備することを特徴とする受信装置。
【発明の詳細な説明】
【０００１】
【発明の属する分野】
この発明は、コンピュータ画像をスクリーンに投影してプレゼンテーションを実施する際に利用されるポインターの形状に関する。
【０００２】
【従来の技術】
従来のポインターは、図４に示すようにレーザー発光部とそのスイッチを有している。
【０００３】
【発明が解決しようとする課題】
しかしながら、以上の従来技術によれば、コンピュータ画像をスクリーンに投影してプレゼンテーションを実施する際に、演者は自らの操作するコンピュータから離れることができない。
そこで、この発明は、演者がコンピュータを遠隔操作できるポインターを提供することを課題とする。
【０００４】
【課題を解決するための手段】
以上の過大を解決するために、請求項１記載の発明では、ソフトウェアを操作するためのキー入力装置と、これによる入力データを無線で情報受信先としてのコンピュータ等の情報処理装置に送信する信号発信部をポインターに具備させて、演者がコンピュータを遠隔操作できるようにしている。
【０００５】
請求項２記載の発明では、ポインターからレーザー発光方向およびそれに接する４面から信号発信することにより、演者はより自然な動きの中で、無線によるコンピュータ操作を実現することが可能となる。
【０００６】
請求項３記載の発明では、パソコン本体上部に受信部を具備するか、パソコン本体に接続される棒状の筐体の先端部に受信部を具備することにより、受信感度を高めている。これにより、より遠隔地からの操作が可能となる。
【０００７】
【発明の実施形態】
図１は請求項１の一実施例におけるキー入力装置付ポインターの外観を表わしたものである。このポインターには、発光スイッチ（１１）、レーザー発光部（１２）、そして、信号発信部（１３）と、キー入力装置（１４〜１７）が具備される。キー入力装置の組み合わせ一例として次が考えられる。（１４）Ｂａｃｋｓｐａｃｅキー、（１５）Ｅｎｔｅｒキー、（１６）上移動キー、（１７）下移動キー。
【０００８】
また、図１では請求項目２記載の発明である四方への信号発信を実現するために、信号発信部（１３）をレーザー発光方向の面およびそれに接する４面に具備した外観を表している。
【０００９】
図２は請求項３の一実施例におけるパソコン本体（２０）上部に受信部（２２）を具備した外観を表したものである。図３は請求項３の一実施例におけるパソコン本体に接続される棒状の筐体（２１）の先端部に受信部（２２）を具備した外観を表したものである。
【００１０】
【実施形態の効果】
この実施形態によれば、無線キー入力装置がポインターに付属されている働きにより、コンピュータを遠隔操作することが可能となる。さらに、受信部が上方に設置されている効果により、より遠隔地からの操作が可能となる。また、レーザー発行方向およびそれに接する４面から信号発信される効果により、自然な動作の中でコンピュータを無線操作することが可能となる。
【００１１】
【他の実施形態】
キー入力装置は、右移動キー、左移動キー、ＳＰＡＣＥキー、ＳＨＩＦＴキー、ＴＡＢキー、ＣＴＬＬキー、ＡＬＴキー、各種文字キー、各種ファンクションキー、ＨＯＭＥキー、ＥＮＤキー、ページＵＰキー、ページＤＯＷＮキー、ＤＥＬＥＴＥキー、ＩＮＳＥＲＴキー、ＣＡＰＳＬＯＣＫキーでも良い。
【００１２】
【発明の効果】
以上説明したように、この発明によれば、演者は演壇の上を自由に動きながらのプレゼンテーションが可能になる。
【図面の簡単な説明】
【図１】請求項１の発明の一実施形態を示す斜視図である。
【図２】請求項２の発明の一実施形態を示す斜視図である。
【図３】請求項２の発明の一実施形態を示す斜視図である。
【図４】従来技術を示す斜視図である。
【符号の説明】
（１０）ポインター本体
（１１）発光スイッチ
（１２）レーザー発行部
（１３）信号送信部
（１４）Ｂａｃｋｓｐａｃｅキー
（１５）Ｅｎｔｅｒキー
（１６）上移動キー
（１７）下移動キー
（２０）パソコン本体
（２１）パソコン本体に接続される棒状の筐体
（２２）受信部
【図１】
2004192597.tif 000003
【図２】
2004192597.tif 000004
【図３】
2004192597.tif 000005
【図４】
2004192597.tif 000006
(57)【要約】      （修正有）【課    題】小規模事業者や起業者が所謂「どんぶり勘定」から脱し自ら、青色申告経営が出来るように簿記知識のない人でも青色申告対応の経理が出来るような、経理システムが要望される。【解決手段】【図１】で示したように、１〜９の入力画面を設定し、発生した取引の増加、減少を選択し入力することにより、簿記特有の仕訳をする必要がなくなり、簡単に会計処理が可能となつた。【選択図】図１
2004192591.tif 000002
【特許請求の範囲】
【請求項１】
事業取引記録の数値をナビ・システムの入力画面に従つて入力することにより、青色申告対応の会計帳簿を作成するシステムである。
【発明の詳細な説明】
この発明は簿記を知らなくても入力画面に従つて取引数値を入力すると青色申告対応の会計帳簿が作成できる簡単経理システムである。
１、従来の会計ソフトは、事業取引を借方、貸方、に仕訳する事により取引を入力（記録）される。しかし取引を仕訳することは簿記知識のない人にとつては、自分で会計処理業務を行う事が出来ない。
本発明は、この様に簿記を知らない人でも取引の増、減を定められた入力画面に入力するだけで正規の簿記が可能となるシステムである。
以下、これを説明すると・・・・・
（イ）取引入力画面を数値を入力画面
【図１】に従つて入力する。
（ロ）この入力画面では簿記特有の仕訳をすることなく、該当する科目に金額を入力するだけで、自動的に会計帳簿を作成することができる。
このように取引入力画面を
【図１】の１〜９迄固定し、発生した取引金額を入力することにより、簡単に問題を解決することが出来る。
【図面の簡単な説明】
【図１】入力画面
【符号の説明】
１  現金・出金
２  現金・入金
３  普通預金・出金
４  普通預金・入金
５  当座預金・出金
６  当座預金・入金
７  売上取引
８  仕入取引
９  その他の取引
【図１】
2004192591.tif 000003
(57)【要約】【課題】精度の良い擬似正規乱数を発生させることができ、しかも論理合成する際の回路記述の規模の縮小化を図ることができる擬似正規乱数発生回路を提供する。【解決手段】ＲＯＭ２には、例えば、Ｂｏｘ−Ｍｕｌｌｅｒ法によるプログラムを用いて発生させた精度の良い擬似正規乱数をその値がアドレスの昇順方向に対して降順又は昇順になるように並べ替えて記憶させる。ＲＯＭ２のアドレス入力端子にはＭ系列発生回路１から出力されるＭ系列符号Ｘ０〜Ｘ１１をアドレス信号として与える。【選択図】    図１
2004192096.tif 000002
【特許請求の範囲】
【請求項１】
正規分布特性を持つ第１の擬似乱数をその値がアドレスの昇順方向に対して昇順又は降順になるように並べ替えて記憶する擬似正規乱数記憶回路と、
第２の擬似乱数をアドレス信号として前記擬似正規乱数記憶回路に与える擬似乱数発生回路を有することを特徴とする擬似正規乱数発生回路。
【請求項２】
前記擬似乱数発生回路は、Ｍ系列発生回路からなることを特徴とする請求項１記載の擬似正規乱数発生回路。
【請求項３】
前記Ｍ系列発生回路は、複数のフリップフロップを所定のフリップフロップ間に排他的論理和回路を挿入して縦列接続し、前記排他的論理和回路には最終段のフリップフロップの出力と前段のフリップフロップの出力とを入力するように構成されていることを特徴とする請求項２記載の擬似正規乱数発生回路。
【発明の詳細な説明】
【０００１】
【発明の属する技術分野】
本発明は、正規分布特性を持つ擬似乱数、いわゆる擬似正規乱数を発生する擬似正規乱数発生回路に関する。
【０００２】
【従来の技術】
物理現象で発生するノイズは正規分布特性を示し、例えば、通信装置が受信する信号には正規分布特性を持つノイズが含まれている。したがって、通信用ＩＣを解析する場合には、擬似正規乱数発生回路が必要となる。
【０００３】
従来、擬似正規乱数を得る方法として、例えば、回路構成が簡単なＭ系列発生回路（例えば、非特許文献１参照）が発生する一様分布特性を持つ擬似乱数を加算する方法が知られている。しかし、この方法によれば、精度を良くするためには、加算量を多くする必要があり、回路規模が大きくなってしまうという問題点があった。
【０００４】
そこで、また、従来、簡単な回路構成で擬似正規乱数を発生させる方法として、あらかじめ発生させた精度の良い擬似正規乱数をＲＯＭ化する方法が提案されている（例えば、特許文献１参照）。
【０００５】
【非特許文献１】
三上直樹著、「デジタル信号処理の基礎」、初版、ＣＱ出版、１９９８年５月１日、ｐ．１０１−１０４
【特許文献１】
特開平２−９０３２０号公報
【０００６】
【発明が解決しようとする課題】
しかしながら、ＲＯＭマクロは回路規模が大きく、また、あらかじめ発生させた擬似正規乱数をそのまま論理合成でＲＯＭ化する場合には、デコード回路の回路記述の規模が大きくなるため、ＲＯＭの回路記述が大きくなってしまうという問題点があった。
【０００７】
本発明は、かかる点に鑑み、精度の良い擬似正規乱数を発生させることができ、しかも論理合成する際の回路記述の規模の縮小化を図ることができるようにした擬似正規乱数発生回路を提供することを目的とする。
【０００８】
【課題を解決するための手段】
本発明の擬似正規乱数発生回路は、正規分布特性を持つ第１の擬似乱数をその値がアドレスの昇順方向に対して昇順又は降順になるように並べ替えて記憶する擬似正規乱数記憶回路と、第２の擬似乱数をアドレス信号として擬似正規乱数記憶回路に与える擬似乱数発生回路を有するというものである。
【０００９】
【発明の実施の形態】
図１は本発明の一実施形態を示す回路図である。図１中、１は１２ビットのＭ系列符号Ｘ０〜Ｘ１１を出力するＭ系列発生回路、２はＭ系列発生回路１から出力されるＭ系列符号Ｘ０〜Ｘ１１をアドレス信号として入力して１２ビットの擬似正規乱数Ｙ０〜Ｙ１１を出力するＲＯＭである。
【００１０】
図２はＭ系列発生回路１の構成を示す回路図である。Ｍ系列発生回路１はシフトレジスタで構成されており、図２中、３〜１４はＤフリップフロップ、１５はＤフリップフロップ３、１４の出力を排他的論理和（以下、ＸＯＲという）処理するＸＯＲ回路、１６はＤフリップフロップ６、１４の出力をＸＯＲ処理するＸＯＲ回路、１７はＤフリップフロップ９、１４の出力をＸＯＲ処理するＸＯＲ回路である。
【００１１】
また、ＲＯＭ２は、アドレスを１２ビット、出力を１２ビットとするものであるが、このＲＯＭ２には、例えば、Ｂｏｘ−Ｍｕｌｌｅｒ法によるプログラムを用いて発生させた精度の良い擬似正規乱数をその値がアドレスの昇順方向に対して降順又は昇順になるように並べ替えて記憶させる。
【００１２】
図３ＡはＢｏｘ−Ｍｕｌｌｅｒ法によるプログラムを用いて発生させた１２ビットの擬似正規乱数を４０９６個発生させた場合を概略的に示しており、図３Ｂは図３Ａに示す擬似正規乱数をその値がアドレスの昇順方向に対して昇順になるように並べ替えたものを概略的に示している。
【００１３】
本実施形態によれば、ＲＯＭ２には正規分布特性を持つ擬似乱数をその値がアドレスの昇順方向に対して昇順又は降順になるように並べ替えて記憶させているが、ＲＯＭ２のアドレス入力端子にはＭ系列発生回路１から出力されるＭ系列符号Ｘ０〜Ｘ１１が与えられるので、すなわち、ＲＯＭ２のアドレス入力端子にはランダムなアドレスが与えられるので、ＲＯＭ２のデータ出力端子からは精度の良い擬似正規乱数Ｙ０〜Ｙ１１が出力される。
【００１４】
以上のように、本実施形態によれば、ＲＯＭ２には正規分布特性を持つ擬似乱数をその値がアドレスの昇順方向に対して昇順又は降順になるように並べ替えて記憶させるとしたことにより、論理合成する際のＲＯＭ２のデコード回路の回路記述の規模を小さくすることができると共に、アドレス発生回路としてＭ系列発生回路１を使用しているので、アドレス発生回路の回路規模が増大することはない。したがって、論理合成する際の回路記述の規模の縮小化（あらかじめ発生させた擬似正規乱数をそのままＲＯＭ化する場合に比べて半分以下）を図ることができる。
【００１５】
【発明の効果】
以上のように、本発明によれば、正規分布特性を持つ第１の擬似乱数をその値がアドレスの昇順方向に対して昇順又は降順になるように並べ替えて記憶する擬似正規乱数記憶回路と、第２の擬似乱数をアドレス信号として擬似正規乱数記憶回路に与える擬似乱数発生回路を有するとしたことにより、精度の良い擬似正規乱数を得ることができ、しかも、論理合成する際の回路記述の規模の縮小化を図ることができる。
【図面の簡単な説明】
【図１】本発明の一実施形態を示す回路図である。
【図２】本発明の一実施形態が備えるＭ系列発生回路の構成を示す回路図である。
【図３】本発明の一実施形態が備えるＲＯＭに記憶させる擬似正規乱数の並べ替え方法を説明するための図である。
【符号の説明】
１…Ｍ系列発生回路
２…ＲＯＭ
３〜１４…Ｄフリップフロップ
１５〜１７…ＸＯＲ回路
【図１】
2004192096.tif 000003
【図２】
2004192096.tif 000004
【図３】
2004192096.tif 000005
(57)【要約】【課題】電磁調理器による使用には不向きであるとされている、例えばアルミ鍋や土鍋などの調理器具を、電磁調理器で使用できるようにすることである。【解決手段】電磁誘導によって発熱する発熱板（１）の表面に遠赤外線放射体からなる皮膜（２）又は板を有することを特徴とする電磁調理用プレート。【選択図】      図１
2004192980.tif 000002
【特許請求の範囲】
【請求項１】
電磁誘導によって発熱する発熱板（１）の表面に遠赤外線放射体からなる皮膜（２）又は板を有することを特徴とする電磁調理器用プレート。
【発明の詳細な説明】
【０００１】
【発明の属する技術分野】
本発明は、電磁調理器による使用には不向きであるとされている、例えばアルミ鍋や土鍋などの調理器具を、電磁調理器で使用できるようにする電磁調理器用プレートに関する。
【０００２】
【従来の技術】
電磁調理器は、誘導加熱コイルの上に非結晶化ガラス等のトッププレートを配したものである。そして、電気抵抗の大きな素材を用いた電磁調理器具をトッププレート上に載せて調理する。
【０００３】
【発明が解決しようとする課題】
ところが、電気抵抗の小さなアルミ等を用いた調理器具は電磁調理器では使用できなかった。従って、それまでガスコンロを使用していた家庭が、電磁調理器に買い換えた場合には、アルミ鍋等の直火加熱用の調理器具が使えなくなった。また、電磁調理器を有する家庭では調理器具を購入する際に、直火加熱用の方がデザイン的に好みであったとしても、電磁加熱用の調理器具を選択しなければならなかった。本発明は上記実情を考慮して開発されたもので、その目的は、直火加熱用の調理器具であっても電磁調理器で使用できるようにすることである。
【０００４】
【課題を解決するための手段】
本発明の電磁調理器用プレートは、電磁誘導によって発熱する発熱板の表面に遠赤外線放射体からなる皮膜又は板を有することを特徴とする。
【０００５】
電磁調理器用プレートは、電磁調理器による使用には不向きであるとされている、アルミ鍋等の調理器具と、電磁調理器のトッププレートとの間に挟んで使用する。
【０００６】
【発明の実施の形態】
本発明の電磁調理器用プレートは図１に示すように発熱板１の表面全域に遠赤外線放射体の粒を溶射して皮膜２を形成したものである。
【０００７】
発熱板１は、電磁誘導によって発熱する素材であれば良く、例えば、鉄、ステンレスの単一成分系、或いはアルミニウムやアルミニウム合金の板表面に鉄を溶射した複数成分系のもの等が挙げられる。発熱板１は、遠赤外線放射体からなる被膜２との接触面積を増やすことが遠赤外線の放出効果を高める上で望ましく、それには表面を粗面にする。例えば、表面を波形状に起伏させるものとし、一つの波のピッチＰを３ｍｍ程度とする。
【０００８】
皮膜２となる遠赤外線放射体としては、セラミックスであるアルミナ、ジルコニア等の単一成分系のものや、アルミナとシリカとを混合した複数成分系のものが一例として挙げられる。
【０００９】
本発明は上記実施形態に限定されない。例えば、遠赤外線放射体からなる板を発熱板の表面に接着しても良い。また、発熱板の表面を粗面にするために、渦巻き状の溝を形成しても良い。
【００１０】
【発明の効果】
本発明は、発熱板の表面に遠赤外線放射体からなる被膜又は板を有していることから、この遠赤外線放射体の上に直火加熱用の調理器具を置いて電磁調理器で調理すれば、発熱板からの熱が皮膜又は板を経て調理器具内に伝えられると共に、発熱板で熱せられた遠赤外線放射体からの遠赤外線による熱が調理器具内に伝えられる。従って、このような相乗作用によって、短時間で調理できるようになる。その結果、電磁調理器に買い換えた後に残っているアルミ鍋等の直火加熱用の調理器具が使用できるし、また、電磁調理器を有する家庭では、直火加熱用の調理器具を購入することもでき、購入時の選択が広がる。
【図面の簡単な説明】
【図１】電磁調理器用プレートを示す一部拡大断面図である。
【符号の説明】
１  発熱板
２  皮膜
【図１】
2004192980.tif 000003
(57)【要約】【課題】正しい発声をするための口内の形は、先生の模範にしろ、見ることはできないため、実際にどのような形にすればよいか理解しにくかった。【解決手段】口内の形を矯正するための口内用練習器具を使うようにした。その練習器具の形状を、上下の奥歯を離す矯正と口蓋を広げる矯正を同時に加味し、呼吸穴をつけることにより、口内の奥の方で呼吸する方法も矯正するようにし、安全性にも考慮した。【選択図】　　なし【特許請求の範囲】
【請求項１】
口の中に入れて正しい発声するための練習器具で奥歯の位置の矯正と口蓋を開くように矯正する物体と一体化したもの。
【請求項２】
練習器具胴体に正しい発声の呼吸法を矯正するためと、安全のために、空気穴が開いているもの。
【発明の詳細な説明】
【０００１】
【発明が属する技術分野】
本発明は、声楽のための発声練習器具に関するものである。
【０００２】
【従来の技術】
声楽のための発声練習器具は特に存在しない。強いていえば、一般的に割り箸を奥歯に挟むといいと言われている。しかし、この方法は発声矯正方法の一部の効果しかない。また、使用するとき違和感がある。
【０００３】
【発明が解決しようとする課題】
声楽上、良い発声は口の中の奥、いわゆる口蓋を充分広げて、喉の奥で発声するのがよいとされている。しかしながら、良い発声をする人の口内を見ることは難しく、やり方を会得するのは時間がかかったり、会得し切れなかったりする。
【０００４】
【課題を解決するための手段】
本発明は、発声練習するときに口内の形状を矯正するのに、口内に入れて最適の形状を持った器具である。
【０００５】
【発明実施の形態】
本発明の練習器具は口内に入れて発声練習するもので、形状は奥歯に挟む部分と口蓋を広げる部分と一体化し、呼吸を維持するための空気口が開けられている。
【０００６】
【実施例】
図１は本発明の練習器具の外観図である。卵形胴体１に奥歯はさみ用腕木２が左右に出ている。大きさは人により多少変える必要があるが、一般的には、卵形胴体１の最大部直径は約２５ｍｍ、長さは約５０ｍｍ、左右に張り出している腕木の幅は約５５ｍｍ、厚さは約１０ｍｍが適当である。卵形胴体の長手方向に呼吸用空気口３があいている。この穴の直径は１０ｍｍ位が適当である。また万が一にこの器具を飲み込んだ場合の安全のため、腕木方向にも事故防止用空気口４を設ける。
【０００７】
実際に口に入れた時の口内の様子を示したのが、図２である。卵形胴体の直径が太い方を奥にして口内にいれ、左右に出ている腕木２を上奥歯４と下奥歯５で挟むようにくわえる。唇はやや閉じ気味に楕円状にして、この練習器具を口に含むようにする。この状態で、「あーー」の発声で音階を変えて行う。この器具を含んだ時は、実際は「あ」以外の発声は難しいが、「あーー」で発声練習をおこなえば、基本的な発声法が会得できる。
【０００８】
【発明の効果】
声楽上の正しい発声は、口蓋を出来るだけ広げて、のどの奥のほうで発声することが一般的である。本発明の器具を使えば、奥歯を腕木で挟むことにより、口蓋が広がり、さらに卵形胴体で喉を広げる効果を生み出す。また呼吸は呼吸用空気穴を通して、おこなう。これも発声時の鼻呼吸を防止し、呼吸の方法も矯正する効果がある。また、万が一この器具が喉につかえることがあっても安全である。この練習器具を使って発声練習を行えば、自然と口蓋が広がり、喉の奥で発声せざるをえない。この練習を続ければ、正しい発声のこつを会得し、この練習器具なしでも正しい発声が行えるようになる。
【図面の簡単な説明】
【図１】本発明の練習器具の外観図である。
【図２】実際に口に入れた時の口内の様子を示した図である。
【符号の説明】
１　卵型胴体
２　奥歯はさみ腕木
３　呼吸用空気口
４　事故防止用空気口
５　上最奥歯
６　下最奥歯
７　口蓋
【図１】
2004093723.tif 000002
【図２】
2004093723.tif 000003
(57)【要約】【課題】パンチルト動作を妨げずにパンチルト駆動部の脱落防止を可能にした雲台システムを提供する。【解決手段】台座部（１）とこの台座部に取り付けられるパンチルト駆動部（２）とを有する雲台システムにおいて、台座部（１）とパンチルト駆動部（２）とにこれらの内部を通る線状部材（４ａ，４ｂ，４ｃ）を取り付けたことを特徴とする雲台システム。【選択図】図１
2004093820.tif 000002
【特許請求の範囲】
【請求項１】
台座部とこの台座部に取り付けられるパンチルト駆動部とを有する雲台システムにおいて、前記台座部と前記パンチルト駆動部とにこれらの内部を通る線状部材を取り付けたことを特徴とする雲台システム。
【請求項２】
前記台座部と前記パンチルト駆動部とに前記線状部材が取り付けられる固定部を設けたことを特徴とする雲台システム。
【請求項３】
前記線状部材の長さを、前記台座部に設けられた前記固定部と前記パンチルト駆動部に設けられた前記固定部との距離より長くしたことを特徴とする請求項２記載の雲台システム。
【請求項４】
前記線状部材が、前記パンチルト駆動部総重量の静荷重に対して、１倍以上の破断強度を有する太さであることを特徴とする請求項１から３のいずれかに記載の雲台システム。
【請求項５】
前記線状部材の外径部に被覆部材を設けたことを特徴とする請求項１から４のいずれかに記載の雲台システム。
【発明の詳細な説明】
【０００１】
【産業上の利用分野】
本発明は、ビルの屋上等に設置される脱落防止手段を備えた雲台システムに関するものである。
【０００２】
【従来の技術】
高層ビルの屋上や高圧鉄塔などに設置される雲台システムは、風などの影響により不安定になり落下の危険性がある。このような観点から、パンチルト駆動部の外側にワイヤーロープ等の命綱を取り付けて落下を防止した雲台システムが提案されている。
【０００３】
【発明が解決しようとする課題】
ところが、上述したような雲台システムには、パン動作やチルト動作をした際にワイヤーロープが雲台システムの外装部に引っ掛かかりこれらの動作を妨げるという問題がある。
【０００４】
また、降雪地域においては外付けのワイヤーロープに着雪、凍結が起こり、円滑なパン動作やチルト動作を妨げるという問題がある。
【０００５】
また、強風地域においては、ワイヤーロープが振動し装置全体を微振動させるため良好な映像データが得られるないばかりでなく、ワイヤーロープが切れて雲台システムが落下して人や物に当たるという安全上の問題もある。
【０００６】
本発明は、このようなの問題点に鑑み発明された雲台システムである。
【０００７】
【課題を解決するための手段】
本発明の雲台システムは、台座部とこの台座部に取り付けられるパンチルト駆動部とを有し、台座部とパンチルト駆動部とにこれらの内部を通る線状部材を取り付けたことを特徴とする。
【０００８】
また、前記台座部と前記パンチルト駆動部とに前記線状部材が取り付けられる固定部を設けてもよい。
【０００９】
また、前記線状部材の長さを、前記台座部に設けられた前記固定部と前記パンチルト駆動部に設けられた前記固定部との距離より長くなるようにしてもよい。
【００１０】
また、前記線状部材として、パンチルト駆動部総重量の静荷重に対して、１倍以上の破断強度を有する太さのものを使用してもよい。
【００１１】
さらに、線状部材の外径部に被覆部材を設けるようにしてもよい。
【００１２】
【００１３】
【発明の実施の形態】
以下、本発明の実施形態について図１および図２を参照しながら説明する。
【００１４】
図１は本実施形態の雲台システムの概略側面図、図２はその正面図である。
【００１５】
これらの図において、１はパンチルト駆動部２が取り付けられる台座部、２はパンチルト駆動部、３はカメラハウジング部、４ａ・４ｂ・４ｃはワイヤー（線状部材）、５ａ・５ｂ・５ｃはパンチルト駆動部２側のワイヤー固定部、６ａ・６ｂ・６ｃは台座部１側のワイヤー固定部である。
【００１６】
このように構成された雲台システムによれば、仮にパンチルト駆動部２と台座部１との結合部において折損事故が発生した場合であっても、図１および図２に示すようにワイヤー（４ａ・４ｂ・４ｃ）によりパンチルト駆動部２が脱落することを防止することができる。
この際、ワイヤーの長さは、駆動時の余裕を考慮し、パンチルト駆動部２側のワイヤー固定部５ａ・５ｂ・５ｃと台座部１側のワイヤー固定部６ａ・６ｂ・６ｃとの距離よりも長めに設定している。
【００１７】
なお、パンチルト駆動時にワイヤーが内部構造部に引っ掛からないようにするため、１箇所以上においてワイヤーどうしをクランプしている。
【００１８】
ワイヤー太さは材料力学的な特性（弾性係数、引張強さ、耐力、応力集中等）を加味したシュミレーションを実施し決定するものである。その際、単一のワイヤー太さはパンチルト駆動部の静荷重に対して、少なくとも安全率１以上の強度を有するように設定するのが好ましい。さらに、複数本のワイヤーの合算強度は設置箇所より自由落下したときに、十分に耐えうる強度を有する設定である。なお、当該ワイヤーは複数本の線材を撚って構成されたものである。
【００１９】
また、ワイヤー外径部においては雲台システムの内部構造部との擦れにより諸問題を解決するために被覆部材を設けている。この被覆部材は、内部構造物とのこすれ等に頑強なものを使用するのが好ましい。また、台座部１からパンチルト駆動部２にかけては電源ケーブルを含め各種電気ケーブルが配線されているため、電気安全的見地より電気的絶縁性をも兼ね備えた部材を使用するのが好ましい。
【００２０】
本実施形態では、ワイヤーを使用して雲台システムの脱落を防止したが、樹脂製のロープや麻製のロープ等を使用してもよい。樹脂製ロープ等を使用する場合には、パンチルト駆動部２の脱落を防止できる強度を有するように寸法を設定するのが好ましい。
【００２１】
【発明の効果】
以上説明したように本発明では、台座部とパンチルト駆動部とにこれらの内部を通るワイヤーを取り付けることにより、パンチルト駆動部の脱落を防止している。したがって、ワイヤーの絡みつき、着雪や凍結によるパンチルト動作の阻害を解消できる。
【００２２】
また、強風地域においても、装置内部に複数本のワイヤーロープを配置する為に、有害な　振動を防止でき、良好な映像データを得ることができる。
【００２３】
さらに、安全面から見た場合には、ワイヤーに引っ掛かる事がなくなるために、人や物に当たり２次的な事故が発生する危険を回避することができる。
【図面の簡単な説明】
【図１】本発明の実施形態である雲台システムの側面図
【図２】本発明の実施形態である雲台システムの正面図
【符号の説明】
１　台座部
２　パンチルト駆動部
３　カメラハウジング部
４ａ　ワイヤー（線状部材）
４ｂ　ワイヤー（線状部材）
４ｃ　ワイヤー（線状部材）
５ａ　パンチルト駆動部側のワイヤー固定部
５ｂ　パンチルト駆動部側のワイヤー固定部
５ｃ　パンチルト駆動部側のワイヤー固定部
６ａ　台座部側のワイヤー固定部
６ｂ　台座部側のワイヤー固定部
６ｃ　台座部側のワイヤー固定部
【図１】
2004093820.tif 000003
【図２】
2004093820.tif 000004
(57)【要約】【課題】雲台システムのテレビカメラを搭載したハウジングの保護ガラスに付いた水滴、雪、ゴミ等を除去する【解決手段】ワイパ部材を往復移動させてガラスに付着した水滴等を拭き取るワイパ装置において、ワイパブレードの停止位置で、ワイパブレ−ドの先端が接触しない様な突起を設けたことを特徴とするワイパ装置。【選択図】　図３
2004093604.tif 000002
【特許請求の範囲】
【請求項１】
ワイパ部材を往復移動させてガラスに付着した水滴等を拭き取るワイパ装置において、
前記ワイパ部材の停止位置で、このワイパ部材の先端が接触しない様な突起を設けたことを特徴とするワイパ装置。
【請求項２】
前記突起は、ハウジング全面に設けられていることを特徴とするワイパ装置。
【発明の詳細な説明】
【０００１】
【産業上の利用分野】
本発明は、テレビカメラを搭載するテレビカメラ用ハウジングの保護ガラスに付着した水滴、雪、ゴミ等を除去するワイパ装置に関するものである。
【０００２】
【従来の技術】
従来、テレビカメラが屋外で使用される際には、カメラやレンズはハウジングの中に収納され、ハウジングに設けられた透明窓を通して撮影されるようになっている。このようなハウジングは複数の回転軸を有する雲台装置に搭載され、この中に収容されたカメラの姿勢が自在に変えられるようになっている。
【０００３】
例えば図１に示すように、台座の上には雲台本体が水平方向に回転自在に取り付けられ、雲台本体にはハウジングが雲台本体に対して垂直方向に回転自在に取り付けられている。ハウジングの中には、テレビカメラが搭載され、ハウジングの前面に設けられた保護ガラスを通して撮影できるようになっている。保護ガラスには、ワイパが装備され、ワイパの往復運動により保護ガラス上の水滴、雪、塵等を払拭するようになっている。
【０００４】
【発明が解決しようとする課題】
しかしながら、従来のワイパ装置は、保護ガラス上の水滴、雪、ゴミ等を払拭するため、ワイパブレ−ドを保護ガラス面に押し付けられながら往復運動が行われる。ワイパ動作は、前述の必要な時に行われ、一般的に停止している時が多く、保護ガラス面にワイパブレ−ドが常に押し付けられた状態にある。この時、ネオプレ−ン等の弾性部材で作られているワイパブレ−ドは変形すると言う欠点がある。
【０００５】
本発明はこのような問題に鑑みてなされたもので、ワイパ部材を往復移動させてガラスに付着した水滴等を拭き取るワイパ装置において、本出願に係わる第一、二の発明の目的は、ワイパブレ−ドの変形を極力防止し、ゴミ等が付着することを防止するということにある。
【０００６】
【課題を解決するための手段】
本願発明は、ワイパ部材を往復移動させて保護ガラス面に付着した水滴、雪、ゴミ等を拭き取るワイパ装置において、該ワイパ部材の停止位置に突起部を設け、ワイパ部材が保護ガラスやハウジング前面に接触しないようにすることにより、ワイパ部材の変形を阻止するとともに接触部分にたまるゴミ等が付着するのを防止させることを特徴とする。
【０００７】
また、突起部をハウジング全面に設けるように構成してもよい。
【０００８】
【発明の実施の形態】
本発明を、図１〜図３に図示の実施形態に基づいて詳細に説明する。
図１に示すように、台座１の上には雲台本体２が水平方向に回転自在に取り付けられ、雲台本体２にはハウジング３が雲台本体２に対して垂直方向に回転自在に取り付けられている。
【０００９】
ハウジング３の中には、図示していないテレビカメラが搭載され、ハウジング３の前面に設けられた保護ガラスを通して撮影できるようになっている。保護ガラスには、ワイパが装備され、ワイパの往復運動により保護ガラス上の水滴、雪、塵等を払拭するワイパ装置の好ましい実施の形態について、図２と図３で詳細に説明する。
【００１０】
図２にはハウジング３の前面が詳細に示されている。同図において、４は支持部材５に取り付けられたワイパ部材としてのワイパブレ−ドである。支持部材５は、１４の方向に弾性変形可能な板金で出来ている。Ｙはワイパブレード４の折り返し位置である。
【００１１】
６は駆動軸で、図に示されていないモ−タ、動作範囲を決定する位置センサと共に構成されている。
【００１２】
７は保護ガラスである。８は保護ガラス支持部材であって、保護ガラス７が取り付けネジ９により固定されている。
【００１３】
１０，１１はワイパブレード４の固定位置Ｘから、Ｙの折り返し位置までのワイパブレード４の変形の様子を示している。１２は突起である。
【００１４】
このような構成により、ワイパブレ−ド４の停止位置では、突起１２により、支持部材５が乗り上げ、１４の方向へ変形し移動する。ワイパブレ−ド４の先端は、他の部材との接触が無いため、経時変化が少なく、耐久性の点で有利である。ワイパブレ−ドは、ＸとＹの間を矢印１３の方向に必要回数、往復運動する。
【００１５】
本実施の形態では、テレビカメラ用ハウジングのワイパ装置について説明したが、これに限られるものではなく、乗用車等に取り付けられるワイパ装置についても本発明のワイパ装置を適用することができる。
【００１６】
【発明の効果】
以上説明したように、本出願に係わる第一、二の発明によれば、ワイパブレ−ドの変形を極力防止し、保護ガラスとワイパブレ−ドとの間にゴミ等が付着することを防止する。それによって、ワイパブレ−ドの交換時期を伸ばす事が出来ると共に、ゴミ付着等による、保護ガラスへのキズ付けも無くなる。
【図面の簡単な説明】
【　図１】雲台を説明する図
【　図２】ワイパ装置及びワイパブレードの動作を示す図
【　図３】ワイパ装置の断面図
【符号の説明】
１　台座
２　雲台本体
３　ハウジング
４　ワイパブレ−ド
５　支持部材
６　駆動軸
７　保護ガラス
８保護ガラス支持部材
９取り付けネジ
１２突起
【図１】
2004093604.tif 000003
【図２】
2004093604.tif 000004
【図３】
2004093604.tif 000005
(57)【要約】【課題】この発明の課題は薄型、小型であってフイルタ板の上下に配置したフイルタを筐体に対して回動することで発光部に所望のフイルタが位置できしかも場合によっては発光部の前のレンズだけでも発光できるストロボフイルタ構造を提供するものである。【解決手段】内部に電源部と発光部等ストロボの発光機能を内蔵したストロボであって、該ストロボの発光部の前面に所望の色のフイルターを選択的に回動して配置する構造にしたことを特徴とするストロボフイルタ構造。【選択図】図１
2004093980.tif 000002
【特許請求の範囲】
【請求項１】
内部に電源部と発光部等ストロボの発光機能を内蔵したストロボであって、該ストロボの発光部の前面に所望の色のフイルターを選択的に回動して配置する構造にしたことを特徴とするストロボフイルタ構造。
【請求項２】
前記フイルターはストロボ筐体の上部に回動自在に設けたフイルタ板に取り付けられていてフイルタ板を回動して所望のフイルタを前記発光部の上に位置させる構造にしてなることを特徴とする請求項１記載のストロボフイルタ構造。
【請求項３】
前記フイルターは平板で前記ストロボの発光部を覆うように回動し、一方のフイルターを使用の際は他方を反対側に同時に回動配置し、他方のフイルターを使用する際は一方のフイルターを反対側に回動配置してなることを特徴とする請求項１記載のストロボフイルタ構造。
【請求項４】
上蓋と下蓋とから構成され内部に電源部及び発光部等ストロボ機能を内蔵した略矩形の筐体本体と、該筐体本体の発光部の上面に配置されたレンズと、前記筐体の上側に回動自在に配置されたフイルタ板と、該フイルタ板に対向配置したフイルタと、前記フイルタ板を回動して所望のフイルタをレンズ上に配置するようにしてなることを特徴とするストロボフイルタ構造。
【請求項５】
前記対向配置したフイルタは前記フイルタ板に対し取り外しができる構造にしてなることを特徴とする請求項１及び請求項４記載のストロボフイルタ構造。
【発明の詳細な説明】
【０００１】
【産業上の利用分野】
この発明は、例えばカラーフイルターを交換して発光させる所謂外付けタイプの特に薄型のストロボに好適なフイルタ構造の改良に関する。
【０００２】
【従来の技術】
従来、所謂外付けの薄型ストロボでも厚みが１．５ｃｍ前後のストロボは内部の電源回路の電子部品が大きいため配置を考慮した薄型のストロボが多く見当たらなかった。また外付けのストロボを利用するカメラ等に薄型で小型なものがなかった。したがって、ストロボ自体、小型、薄型の傾向が生じなかった。しかし最近のデジタルカメラは小型で薄型が好まれ機器自体の改良もあって各社で小型薄型のデジタルカメラが販売されている。電子部品も小型になってきたことに鑑み小型、薄型でしかも色フイルターの選択ができる薄型ストロボが望まれている。
【０００３】
【発明が解決しようとする課題】
そこで、この発明の課題は薄型、小型であってフイルタ板の上下に配置したフイルタを筐体に対して回動することで発光部に所望のフイルタが位置できしかも場合によっては発光部の前のレンズだけでも発光できるストロボフイルタ構造を提供するものである。
【０００４】
【課題を解決するための手段】
発明の課題を解決するための一つめの手段は内部に電源部と発光部等ストロボの発光機能を内蔵したストロボであって、該ストロボの発光部の前面に所望の色のフイルターを選択的に回動して配置する構造にしたことであり、二つめの手段は上蓋と下蓋とから構成され内部に電源部及び発光部等ストロボ機能を内蔵した略矩形の筐体本体と、該筐体本体の発光部の上面に配置されたレンズと、前記筐体の上側に回動自在に配置されたフイルタ板と、該フイルタ板に対向配置したフイルタと、前記フイルタ板を回動して所望のフイルタをレンズ上に配置するようにしてなるものでこれによって複数のフイルターを選択的に交換できる特に薄型に好適なストロボフイルタ構造である。
【０００５】
【作用】
発光部上に回動形式でそれぞれ選択的にフイルターを配置できるから希望の色のフイルターを用いることができる、またフイルターを用いずにレンズだけでも使用できるものである。
【０００６】
【発明の実施の形態】
以下、この発明の一実施形態を図１、図２に基づいて説明する、１及び２は矩形の上蓋及び下蓋の筐体で、それぞれの開口を重ね合わせて箱形を構成している。前記筐体内にはストロボを発光させる機能、所謂、電源部３が収納されている。前記上蓋１の上面の中央部分には止め竿４が止めてあってこれにフイルタ板５が回動自在に取り付けてある。このフイルタ板５の上下には上フイルタ６及び下フルタ７が着脱自在に取り付けてある。したがって、フイルタ板５は上蓋１から外れることなく回動できる構造にしてある。図１はフイルタ板５が回動されていない場合を示し、図３は矢印Ｈ方向にフイルタ板５が回動され下の上蓋１に取り付けてあるレンズ８が覗いてみえるようになっている。尚９は補助光部である。
【０００７】
しかして、図１で下フイルタ７をレンズ８上に位置させる場合は、図３のようにフイルタ板５を矢印Ｈ方向に止め竿４を中心に回動させ、１８０度回転してレンズ８上に下フイルタ７を配置させる。このようにしてフイルタ板５を回動させれば所望のフイルタ６，７をレンズ８上に配置できる。尚フイルタ６，７を使用しない時はフイルタ板５を上下から９０度回動すれば下のレンズ８が覗いてフイルタなしで発光できるものである。
【０００８】
【発明の効果】
以上のように本発明は内部に電源部と発光部等ストロボの発光機能を内蔵したストロボであって、該ストロボの発光部の前面に所望の色のフイルターを選択的に回動して配置する構造にしたから特に薄型ストロボに好適でしかも複数個フイルタを選択でき、フイルタを必要としない場合はレンズでそのまま発光できる等種々の効果があるストロボフイルタ構造を提供できる。
【図面の簡単な説明】
【図１】この発明の一実施形態としての全体の斜視図。
【図２】図１のＡ−Ｂ線断面概略図。
【図３】図１のフイルタ板を回動させた場合の斜視図。
【符号の説明】
１、　上蓋
２、下蓋
３、電源部
４、　止め竿
５、フイルタ板
６、　上フイルタ
７、　下フイルター
８、　レンズ
９、　補助光
【図１】
2004093980.tif 000003
【図２】
2004093980.tif 000004
【図３】
2004093980.tif 000005
(57)【要約】【課題】この発明の課題は薄型、小型であっても筐体の内側に溝を形成しこれにフイルターをスライド形式で配置することによって薄型でありながらフイルターの選択もできるようにした薄型ストロボ構造を提供するものである。【解決手段】内部に電源部と発光部等ストロボの発光機能を内蔵した比較的薄型のストロボであって、該ストロボの発光部の前面に所望の色のフイルターを選択的にスライドして配置する構造にしたことを特徴とする薄型ストロボ構造。【選択図】　　図１
2004093979.tif 000002
【特許請求の範囲】
【請求項１】
内部に電源部と発光部等ストロボの発光機能を内蔵した比較的薄型のストロボであって、該ストロボの発光部の前面に所望の色のフイルターを選択的にスライドして配置する構造にしたことを特徴とする薄型ストロボ構造。
【請求項２】
前記フイルターはストロボ筐体の上下に設けた溝にはめ込んで互い違いにスライドする構造にしてなることを特徴とする薄型ストロボ構造。
【請求項３】
前記フイルターは平板で前記ストロボの発光部を覆うようにスライドし、一方のフイルターーを使用の際は他方を下方にスライド配置し、下方のフイルターを使用する際は一方のフイルターを下方に配置してなることを特徴とする薄型ストロボ構造。
【請求項４】
上蓋と下蓋とから構成され内部に電源部及び発光部等ストロボ機能を内蔵した略矩形の筐体本体と、該筐体本体の発光部に上面に配置されたレンズと、前記筐体の上側の内側近傍に形成した溝と、該溝にはめ込まれ互いに選択的にスライドして前記レンズを覆うフイルタとからなることを特徴とする薄型ストロボ構造。
【請求項５】
前記溝は２本形成され、この溝に２個のフイルターが互いに上下でライドできる構造にしたことを特徴とする請求項４項記載の薄型ストロボ構造。
【発明の詳細な説明】
【０００１】
【産業上の利用分野】
この発明は、薄型であって例えばカラーフイルターを交換して発光させる所謂外付けタイプの薄型ストロボ構造の改良に関する。
【０００２】
【従来の技術】
従来、所謂外付けの薄型ストロボでも厚みが１．５ｃｍ前後のストロボは内部の電源回路の電子部品が大きいため配置を考慮した薄型のストロボが多く見当たらなかった。また外付けのストロボを利用するカメラ等に薄型で小型なものがなかった。したがって、ストロボ自体、小型、薄型の傾向が生じなかった。しかし最近のデジタルカメラは小型で薄型が好まれ機器自体の改良もあって各社で小型薄型のデジタルカメラが販売されている。そのために小型、薄型でしかも色フイルターの選択ができる薄型ストロボが望まれている。
【０００３】
【発明が解決しようとする課題】
そこで、この発明の課題は薄型、小型であっても筐体の内側に溝を形成しこれにフイルターをスライド形式で配置することによって薄型でありながらフイルターの選択もできるようにした薄型ストロボ構造を提供するものである。
【０００４】
【課題を解決するための手段】
発明の課題を解決するための一つめの手段は内部に電源部と発光部等ストロボの発光機能を内蔵した比較的薄型のストロボであって、該ストロボの発光部の前面に所望の色のフイルターを選択的にスライドして配置する構造にしたことであり、二つめの手段は上蓋と下蓋とから構成され内部に電源部及び発光部等ストロボ機能を内蔵した略矩形の筐体本体と、該筐体本体の発光部に上面に配置されたレンズと、前記筐体の上側の内側近傍に形成した溝と、該溝にはめ込まれ互いに選択的にスライドして前記レンズを覆うフイルタとからなるものでこれによって複数のフイルターを選択的に交換できる薄型ストロボ構造である。
【０００５】
【作用】
発光部上にスライド形式でそれぞれ選択的にフイルターを配置できるから希望の色のフイルターを用いることができる、またフイルターは発光部上で構造上重ね合わせることができるから複数の色を組み合わせてフイルターとして使用できる。もちろん一色も利用できるものである。
【０００６】
【発明の実施の形態】
以下、この発明の一実施形態を図１、図２に基づいて説明する、１及び２は矩形の上蓋及び下蓋の筐体で、それぞれの開口を重ね合わせて箱形を構成している。前記筐体内にはストロボを発光させる機能所謂電源部３が収納されている。前記上蓋１の上縁の内側左右に上下で上溝４及び下溝５が形成されている。この上溝４には第１フイルター６が下溝５には第２フイルター７が嵌めてある。図示点線で枠取りして示したものは発光部（放電管）の前に配置されたレンズ８である。尚図２はＡ―Ｂ線概略断面図でレンズ８部分は断面箇所ではない。
【０００７】
前記図１で第２フイルター７をレンズ８面上に配置する場合、第２フイルター７を下溝５をスライドさせて押し上げて設定する。この際第１フイルター６がレンズ８の面上に配置されていた場合は第１フイルター６を上溝４上をスライドさせて下方に配置すればよい。従ってそれぞれのフイルター６、７は選択的にレンズ８上に配置できる。次に第１フイルター６と第２フイルター７とを組合わせ使用する場合はそれぞれ上溝４或いは下溝５をスライドさせてレンズ８上に配置すれば組み合わせた色でストロボが発光できる。尚９は補助光である。
【０００８】
【発明の効果】
以上のように本発明は内部に電源部と発光部等ストロボの発光機能を内蔵した比較的薄型のストロボであって、該ストロボの発光部の前面に所望の色のフイルターを選択的にスライドして配置する構造にしたから色の組み合わせたフイルターとして使用できるばかりか選択的に色のフイルターを得られることができしかも平板であるから薄型のデジタルカメラの外付けストロボとして好適である等の効果がある。
【図面の簡単な説明】
【図１】この発明の一実施形態としての全体の斜視図。
【図２】図１のＡ−Ｂ線断面概略図。
【符号の説明】
１、上蓋
２、蓋
３、電源部
４、　上溝
５、　下溝
６、　第１フイルター
７、　第２フイルター
８、　レンズ
９、　補助光
【図１】
2004093979.tif 000003
【図２】
2004093979.tif 000004
(57)【要約】【課題】この発明の課題は薄型、小型であっていちいち単体のフイルタを用意することなく何色かフイルタが一体に構成することによって交換の面倒臭さから解放し、整理も容易にするストロボフイルタを提供するものである。【解決手段】内部に電源部と発光部等ストロボの発光機能を内蔵したストロボ本体であって、該ストロボ本体の側部に設けた溝と、前記ストロボ本体を収納する上下開口のケース本体と、該ケース本体の内部の側部に設けられた前記溝に嵌合する突条部と、前記ケース本体の表面と裏面の所望の箇所に設けられ前記発光部上に位置するレンズを覆う複数のフイルタとからなることを特徴とするストロボフイルタである。【選択図】図１
2004093959.tif 000002
【特許請求の範囲】
【請求項１】
内部に電源部と発光部等ストロボの発光機能を内蔵したストロボ本体であって、該ストロボ本体の側部に設けた溝と、前記ストロボ本体を収納する上下開口のケース本体と、該ケース本体の内部の側部に設けられた前記溝に嵌合する突条部と、前記ケース本体の表面と裏面の所望の箇所に設けられ前記発光部上に位置するレンズを覆う複数のフイルタとからなることを特徴とするストロボフイルタ。
【請求項２】
前記フイルタは前記ケース本体の表面に２色を、裏面に２色を設けてなることを特徴とする請求項１記載のストロボフイルタ。
【請求項３】
前記フイルタは前記ケース本体の表面又は裏面のいずれか一方に少なくとも１つ設けてなることを特徴とする請求項１記載のストロボフイルタ。
【請求項４】
前記ケース本体は前記ストロボ本体に対して上下いずれかからも脱着できる構造にしたことを特徴とする請求項１記載のストロボフイルタ。
【発明の詳細な説明】
【０００１】
【産業上の利用分野】
この発明は、薄型のストロボのフイルタとして好適でしかも何色ものフイルタを利用できるストロボフイルタに関する。
【０００２】
【従来の技術】
従来、所謂外付けの薄型ストロボでも厚みが１．５ｃｍ前後のストロボは内部の電源回路の電子部品が大きいため配置を考慮した薄型のストロボが多く見当たらなかった。また外付けのストロボを利用するカメラ等に薄型で小型なものがなかった。したがって、ストロボ自体、小型、薄型の傾向が生じなかった。しかし最近のデジタルカメラは小型で薄型が好まれ機器自体の改良もあって各社で小型薄型のデジタルカメラが販売されている。電子部品も小型になってきたことに鑑み小型、薄型でしかも色フイルターの選択ができる薄型ストロボが望まれている。ところがこのようなストロボ自体は平板薄型であるので何色ものフイルタを採用するのに難しいものであって、例えば何色ものフイルタを別々に用意しておくのは整理が面倒である。更にいちいち単体のフイルタを交換する面倒臭さと紛失の虞もあるものである。
【０００３】
【発明が解決しようとする課題】
そこで、この発明の課題は薄型、小型であっていちいち単体のフイルタを用意することなく何色かフイルタが一体に構成することによって交換の面倒臭さから解放し、整理も容易にするストロボフイルタを提供するものである。
【０００４】
【課題を解決するための手段】
発明の課題を解決するための手段は内部に電源部と発光部等ストロボの発光機能を内蔵したストロボ本体であって、該ストロボ本体の側部に設けた溝と、前記ストロボ本体を収納する上下開口のケース本体と、該ケース本体の内部の側部に設けられた前記溝に嵌合する突条部と、前記ケース本体の表面と裏面の所望の箇所に設けられ前記発光部上に位置するレンズを覆う複数のフイルタとからなることを特徴とするストロボフイルタである。
【０００５】
【作用】
ケース本体に複数のフイルタを設けてあるからこのケース本体にストロボ本体を挿入することで希望のフイルタを選択して利用できる、しかも挿入はいずれの方向からも可能であるから便利である。
【０００６】
【発明の実施の形態】
以下、この発明の一実施形態を図１に基づいて説明する、１は内部に電源部と発光部等所謂ストロボの発光機能を備え、プラスチック製の薄型矩形なストロボ本体で、このストロボ本体１の上面上方に位置してストロボ本体の内部の発光を外部に導くレンズ２が設置してある。前記ストロボ本体１は上蓋３と下蓋４とから構成され、両蓋３，４は周囲を段付きにして嵌合構造で一体化する。前記ストロボ本体１は両側に溝５を形成していて、ケース本体６の突条部７が挿入ガイドされるようにしてある。
【０００７】
該ケース本体６は両端が開口で前記ストロボ本体１と形状的に近似で、ストロボ本体１がケース本体６に挿入できる相互の寸法にしてある。ケース本体６は上面にフイルタ８，９を配置していて、図の場合でケース本体６にストロボ本体１を挿入して外観的に一体化した状態の際、フイルタ８が前記レンズ上に位置するように配置を考慮して設けてある。同様な位置でケース本体６の下側にもフイルタ１０，１１が設置されている。
【０００８】
しかして、図の状態でケース本体６を矢印Ａ方向に移動させてストロボ本体１の溝５に突条部７を案内として挿入し、ストロボ本体１がケース本体６に挿入されて完了するとフイルタ８はレンズ２上に位置しストロボの色フイルタとしての働きができる。利用者がフイルタ９の色を使用したい場合はケース本体６をストロボ本体１に対して１８０度回転しフイルタ８側からストロボ本体１を挿入するとフイルタ９はレンズ２の上面に位置させることができフイルタ９の色で利用できる。
また、下側のフイルタ１０、１１利用したい場合、ケース本体６をひっくり返して上面のフイルタ８，９を利用したのと同様に使用できる。尚、フイルタ８，９，１０，１１は適宜その数を選択的に増減して配置するようにしてもよいものである。
【０００９】
【発明の効果】
以上のように本発明は内部に電源部と発光部等ストロボの発光機能を内蔵したストロボ本体であって、該ストロボ本体の側部に設けた溝と、前記ストロボ本体を収納する上下開口のケース本体と、該ケース本体の内部の側部に設けられた前記溝に嵌合する突条部と、前記ケース本体の表面と裏面の所望の箇所に設けられ前記発光部上に位置するレンズを覆う複数のフイルタとからなる、からいちいち単体のフイルタを用意することなく何色かフイルタが一体に構成することによって交換の面倒臭さから解放し、整理も容易にする効果のあるストロボフイルタが提供できる。
【図面の簡単な説明】
【図１】この発明の一実施形態を示した斜視図。
【符号の説明】
１　ストロボ本体
２　レンズ
３　上蓋
４　　下蓋
５　　溝
６　　ケース本体
７　　突条部
８，９，１０，１１　フイルタ
【図１】
2004093959.tif 000003